(57)【特許請求の範囲】
【請求項１】
天頂から被り口に至る輪郭形状が略ドーム形状になるように袋編みされた表地と、筒形の初期形状を有して上記被り口で裏側に折り込まれた裏地とを有し、
上記裏地の天頂がその裏地の端部に編み込まれた絞り糸で絞られて、その裏地の天頂から上記被り口に至る輪郭形状が上記表地に沿う略ドーム形状に形作られ、上記絞り糸による裏地の絞り領域で裏地の縦糸の編み密度をその絞り領域に隣接する非絞り領域のそれよりも粗にしてあると共に、上記絞り糸を、表地の天頂から内側に引き出されている表地の編み糸に結んで裏地を表地に連結してあることを特徴とする裏地付きニットキャップ。
【請求項２】
上記絞り糸が、初期形状の筒形の裏地に折り込まれた横糸である請求項１に記載した裏地付きニットキャップ。
【請求項３】
上記絞り糸が、表地及び裏地を形作っている本番糸に対して視覚的に識別することのできる糸でなる請求項１又は請求項２に記載した裏地付きニットキャップ。
【請求項４】
表地の天頂から内側に引き出されている表地の編み糸が、袋編みの編み終りの糸である請求項１ないし請求項３のいずれか１項に記載した裏地付きニットキャップ。
【発明の詳細な説明】
【技術分野】
【０００１】
本発明は、裏地付きニットキャップ、特に装用感を改善するための対策を講じた裏地付きニットキャップに関する。
【背景技術】
【０００２】
図６を参照して従来例を説明する。同図（Ａ）は従来例を説明的に示した縦断面図、同図（Ｂ）は従来例を説明的に示した概略側面図である。
【０００３】
このニットキャップは、天頂２１から被り口１０に至る輪郭形状が略ドーム形状になるように袋編みされている表地２０と、被り口１０で同図（Ａ）矢印Ｒのように表地２０の裏側に折り込まれた裏地３０とによって作られていて、裏地３０は、全体的には天頂３１から被り口１０に至る輪郭形状が表地２０に沿う略ドーム形状に形作られている。
【０００４】
一方、裏地３０を表地２０の裏側へ折り返す前の形状、すなわち初期形状は筒形になっている。そして、裏地３０の天頂３１を含んでその近傍部分はゴム編みされていて、そのゴム編み部分３２は、小さく口が開いた先細り形状になっている。また、同図（Ａ）の一点鎖線Ｌで囲んである部分、すなわち裏地３０のゴム編み部分３２と、そのゴム編み部分３２に重なり合っている表地２０の部分とがオーバーロックミシンで縫着されている。さらに具体的には、同図（Ｂ）に示したように、表地２０の天頂２１から放射状に延びる縫い目２２によって、裏地３０のゴム編み部分３２とそのゴム編み部分３２に重なり合っている表地２０の部分とが連結されている。
【０００５】
また、同図（Ａ）のように、袋編みによって形成されている表地２０の天頂２１に残る編み終りの糸２３は、表地２０の天頂２１から内側に引き出されて裏地３０との間に収められている。
【０００６】
【特許文献１】特になし
【発明の開示】
【発明が解決しようとする課題】
【０００７】
しかしながら、上記したような従来例のニットキャップによると、裏地３０のゴム編み部分３２と表地２０の重なり部分とに露呈している放射状の縫い目２２が目立つことがあり、外観上、見苦しいと感じることがあるとともに、放射状の縫い目２２よってニットキャップの天頂２１部分のシルエットが歪になるということが知見された。
【０００８】
また、縫い目２２によって裏地３０のゴム編み部分３２と表地２０の重なり部分とが縫着されていることや、裏地３０ゴム編み部分３２が小さく口の開いた先細り形状になっていて、その口の縁部に襞や皺が発生していることが多いため、当該ニットキャップをユーザが頭部に被ったときに、そのニットキャップの頂部にゴワゴワとした突張り感が生じて頭部にうまくフィットしないという状況が起こり得るということが知見された。
【０００９】
本発明は、以上の状況に鑑みてなされたものであり、裏地付きニットキャップにおいて、袋編みによって形成される表地とその表地の裏側に折り込まれる裏地とを連結する手段に工夫を講じることによって、オーバーロックミシンによる縫い目を形成しなくても表地と裏地とがうまく連結され、しかも、ユーザが被ったときにニットキャップの頂部にゴワゴワとした突張り感が生じるという事態が回避されるようにして、装用感が改善されるようにすることを目的とする。
【課題を解決するための手段】
【００１０】
本発明に係るニットキャップは、天頂から被り口に至る輪郭形状が略ドーム形状になるように袋編みされた表地と、筒形の初期形状を有して上記被り口で裏側に折り込まれた裏地とを有している。そして、上記裏地の天頂がその裏地の端部に編み込まれた絞り糸で絞られて、その裏地の天頂から上記被り口に至る輪郭形状が上記表地に沿う略ドーム形状に形作られている。加えて、上記絞り糸による裏地の絞り領域で裏地の縦糸の編み密度をその絞り領域に隣接する非絞り領域のそれよりも粗にしてあると共に、上記絞り糸を、表地の天頂から内側に引き出されている表地の編み糸に結んで裏地を表地に連結してある。
【００１１】
この発明のニットキャップによると、絞り糸による裏地の絞り領域で裏地の縦糸の編み密度をその絞り領域に隣接する非絞り領域のそれよりも粗にしてあることにより、絞り糸によって絞られている裏地の天頂を含む絞り領域に襞や皺が発生しなくなるか、あるいは発生しにくくなる。しかも、絞り領域での縦糸の編み密度と非絞り領域の縦糸の編み密度との比を適切に定めておくと、裏地の天頂を含む絞り領域の形状が襞や皺のないなだらかな略ドーム形状になって、袋編みによって形成されている表地の略ドーム形状によく馴染むようになる。その上、裏地の絞り領域を絞っている絞り糸が、表地の天頂から内側に引き出されている表地の編み糸に結ばれて裏地が表地に連結されているので、冒頭で説明した従来例のようにオーバーロックミシンによる縫い目を形成しなくて済む。そのため、外観上、縫い目が目立つということがなくなる。これらのことから、本発明に係るニットキャップは、外観に優れ、しかも、ユーザが被ったときにニットキャップの頂部にゴワゴワとした突張り感が生じるという事態が生じなくなって装用感が改善される。
【００１２】
本発明では、上記絞り糸が、初期形状の筒形の裏地に折り込まれた横糸であることが望ましい。また、上記絞り糸が、表地及び裏地を形作っている本番糸に対して視覚的に識別することのできる糸でなることが望ましい。さらに、表地の天頂から内側に引き出されている表地の編み糸が、袋編みの編み終りの糸であることが望ましい。これらの各発明に係るニットキャップは、公知の自動編み機を用いて生地を袋編みした後に、その編み方向の中央部分を折り返して表地と裏地とを形成し、その後に、絞り糸で裏地の天頂を絞ったり、その絞り糸と袋編みの編み終りの糸とを結んだりすることよって量産することが容易に可能である。特に、絞り糸に、表地及び裏地を形作っている本番糸に対して視覚的に識別することのできる糸を用いたものでは、作業者がその絞り糸を見つけ出しやすいために量産性がさらに改善されるという作用が奏される。なお、表地及び裏地を形作っている本番糸に対して視覚的に識別することのできる糸には、糸の素材や色や太さの異なる糸が含まれる。
【発明の効果】
【００１３】
以上のように、本発明に係る裏地付きニットキャップは、オーバーロックミシンによる縫い目を形成する必要がないので、それだけ外観に優れ、しかも、裏地の絞り領域に襞や皺を生じにくいので、ユーザが被ったときにニットキャップの頂部にゴワゴワとした突張り感が生じるという事態が回避されて装用感が改善される。また、量産性にも優れている。
【発明を実施するための最良の形態】
【００１４】
図１（Ａ）は本発明の実施形態に係る裏地付きニットキャップを説明的に示した縦断面図、（Ｂ）は同ニットキャップを説明的に示した概略側面図、（Ｃ）は同ニットキャップを得るための袋編み素材１００を説明的に示した概略側面図である。図２は図１のＩＩ部の拡大図である。
【００１５】
図１（Ｃ）に示した袋編み素材１００は自動編み機で自動編みされている。この袋編み素材１００の全体形状は略砲弾形になっている。そして、編み始め端１０１は口が開いた形状になっているのに対し、編み終り端１０２は口が閉じている。編み終り端１０２には編み終りの糸１０３が引き出されている。また、袋編み素材１００には、編み始め端１０１から編み上げ方向（矢印Ａ）に向かって順に、筒形の捨て糸領域Ｚ１、筒形の抜き糸領域Ｚ２、ゴム編みされた筒形の絞り領域Ｚ３、筒形の増やし編み領域Ｚ４が形成されている。さらに、抜き糸領域Ｚ２が天竺編み様式で形成されていて、その抜き糸領域Ｚ２とゴム編み領域Ｚ３との境界部分には、ゴム編み領域Ｚ３の縦糸のループ部分を挿通する横糸でなる絞り糸１０４が編み込まれていて、その絞り糸１０４が外方へ引き出されている。
【００１６】
上記袋編み素材１００にあっては、抜き糸領域Ｚ２をゴム編み領域Ｚ３から分離することによって、抜き糸領域Ｚ２と捨て糸領域Ｚ１とが撤去される。そして、増やし編み領域Ｚ４の中間部が図１（Ａ）の矢印Ｒのように折り返されて表地２０と、その表地２０の裏側に折り込まれた裏地３０と、折り返し箇所に相当している被り口１０とが形成される。表地２０はその天頂２１から被り口１０に至る輪郭形状が略ドーム形状に作られている。裏地３０は、筒形の増やし編み領域Ｚ４を折り返すことによって形成されているために、その初期形状は筒形である。しかし、図例のように、裏地３０は、その天頂３１が上記した絞り糸１０４、すなわち裏地３０の端部に編み込まれた絞り糸１０４で絞られることにより形成されていると共に、その裏地３０の天頂３１から被り口１０に至る輪郭形状が表地２０に沿う略ドーム形状に形作られている。
【００１７】
ここで、図１に示した袋編み素材１００の絞り領域Ｚ３では、縦糸の編み密度がその絞り領域Ｚ３に隣接する非絞り領域、具体的には増やし編み領域Ｚ４に比べて粗になっている。この構成を図３に拡大して説明的に示してある。同図のように、絞り領域Ｚ３を形成している縦糸５１の本数が増やし編み領域Ｚ４を形成している縦糸５２の本数よりも少なくなっていて、縦糸の相互間ピッチが、絞り領域Ｚ３では増やし編み領域Ｚ４よりも大きくなっている。
【００１８】
表地２０の裏側に折り返されている裏地３０は、図４に矢印Ｐで説明的に示したように、その開いた口が絞り糸１０４で絞られる。このように編み密度が粗の縦糸５１を有する絞り領域Ｚ３が絞り糸１０４で絞られると、図５に説明的に示したように、絞り領域Ｚ３（図４参照）が略ドーム形状に形作られ、その絞り領域Ｚ３の縦糸５１は絞り糸１０４によって一点に集まって口の閉じた天頂３１を形成する。こうして形成されている略ドーム形状の絞り領域Ｚ３（天頂３１を含む）は、縦糸５１の編み密度が粗であるために襞や皺を生じにくい。天頂３１を含む略ドーム形状の絞り領域Ｚ３で襞や皺がまったく生じないようにすることは、縦糸５１の編み密度を一定値以下に定めることによって容易に可能である。なお、上記では絞り領域Ｚ３の縦糸５１の編み密度を粗にして、絞り糸１０４で絞ったときに襞や皺を生じにくくした事例を説明したけれども、絞り領域Ｚ３の縦糸５１の編み密度を粗にすることと併せて、絞り領域Ｚ３の横糸の編み密度を隣接領域の横糸のそれよりも粗にしておくことも可能である。そのようにしておくと、絞り糸１０４で絞ったときに襞や皺をいっそう生じにくくなる。
【００１９】
また、図２のように、裏地３０の天頂３１から引き出されている上記絞り糸１０４は、表地２０の天頂２１から内側に引き出されている表地２０の編み糸、具体的には、編み終りの糸１０３に結ばれる。こうしておくと、裏地３０の天頂３１が表地２０の天頂２１に連結されるために裏地３０が表地２０から繰り出されるという事態は起こらない。したがって、冒頭で説明した従来例のように、オーバーロックミシンを用いて表地２０の外側に露呈する縫い目２２（図６（Ｂ）参照）を形成する必要がない。１０５は絞り糸１０４と編み終りの糸１０３との結び目を示している。
【００２０】
以上のように構成されているニットキャップは、オーバーロックミシンによる縫い目を形成する必要がないので、それだけ外観に優れ、しかも、裏地の絞り領域Ｚ３に襞や皺を生じにくいので、ユーザが被ったときにニットキャップの頂部にゴワゴワとした突張り感が生じるという事態が回避されて装用感が改善されたものになることが判っている。
【００２１】
ところで、このニットキャップの製作工程のうち、上記した絞り糸１０４と編み終りの糸１０３とを結び付ける工程は、表地２０と共に裏地３０とを裏返した状態で行われる。しかし、その状態で絞り糸１０４と編み終りの糸１０３とを結び付ける工程を行うとしても、裏地３０の天頂３１から引き出されている絞り糸１０４を作業者が目視で見分けることには困難が伴う。そこで、この実施形態では、絞り糸１０４の色又は太さを、増やし編み領域Ｚ４の編み糸として用いられている本番糸とは異ならせてある。こうしておくと、絞り糸１０４を本番糸に対して視覚的に容易に識別することができるようになるので、作業者にとっては絞り糸１０４を見つけ出して編み終りの糸１０３に結び付ける作業を容易に行うことができるようになる。絞り糸１０で絞り領域Ｚ３を絞る工程についても同様のことが云える。したがって、絞り糸１０４の色又は太さを本番糸と異ならせておくことは、ニットキャップの生産性ないし量産性を向上させることに役立つ。
【図面の簡単な説明】
【００２２】
【図１】（Ａ）は本発明の実施形態に係る裏地付きニットキャップを説明的に示した縦断面図、（Ｂ）は同ニットキャップを説明的に示した概略側面図、（Ｃ）は同ニットキャップを得るための袋編み素材を説明的に示した概略側面図である。
【図２】図１のＩＩ部の拡大図である。
【図３】絞り領域の縦糸の編み密度と増やし編み領域の縦糸の編み密度との関係を示した説明図である。
【図４】絞り工程の初期段階を示した説明図である。
【図５】裏地の天頂から引き出された絞り糸の説明図である。
【図６】（Ａ）は従来例を説明的に示した縦断面図、（Ｂ）は従来例を説明的に示した概略側面図である。
【符号の説明】
【００２３】
１０  被り口
２０  表地
２１  表地の天頂
３０  裏地
３１  裏地の天頂
１０４  絞り糸
１０３  編み終りの糸（編み糸）
Ｚ３  絞り領域
【図１】
0005009723.tif 000002
【図２】
0005009723.tif 000003
【図３】
0005009723.tif 000004
【図４】
0005009723.tif 000005
【図５】
0005009723.tif 000006
【図６】
0005009723.tif 000007